【手続補正書】
【提出日】令和2年1月6日(2020.1.6)
【手続補正１】
【補正対象書類名】明細書
【補正対象項目名】００２７
【補正方法】変更
【補正の内容】
【００２７】
本発明を本発明の例的な実施形態を参照しながら具体的に図示・説明してきたが、当業者であれば、添付の特許請求の範囲に包含される本発明の範囲を逸脱することなく形態や細部に様々な変更が施されてもよいことを理解するであろう。
なお、本発明は、実施の態様として以下の内容を含む。
〔態様１〕
画素アレイにおける、画素からなる行を所定の光透過レベルにリセットする方法であって、
前記画素アレイの列信号ラインを初期電圧に設定する過程と、
前記列信号ラインが前記初期電圧である間に、前記画素アレイの行信号ラインをアサートする過程と、
前記列信号ラインが前記初期電圧から変化する前に、前記画素アレイの前記行信号ラインをディアサートする過程と、
を備える、方法。
〔態様２〕
態様１に記載の方法において、前記初期電圧が、前記画素アレイの各画素の透過度に対応している、方法。
〔態様３〕
態様２に記載の方法において、前記透過度が、光を通さないレベルである、方法。
〔態様４〕
態様１に記載の方法において、前記行信号ラインをディアサートする過程が、保持容量に前記初期電圧を保持させる、方法。
〔態様５〕
態様１に記載の方法において、前記行信号ラインをアサートする過程と前記行信号ラインをディアサートする過程とが、前記行信号ラインにパルスを生じさせる、方法。
〔態様６〕
態様１に記載の方法において、前記行信号ラインをアサートする過程が、前記列信号ラインを、前記画素アレイの画素の保持容量に接続させる、方法。
〔態様７〕
映像情報を画素アレイに走査する方法であって、
第１のアクティブ行期間において、
列信号ラインを初期電圧に設定する過程と、
前記画素アレイの第１の行信号ラインをアサートする過程と、
前記列信号ラインを所望の電圧に設定する過程と、
前記列信号ラインが前記所望の電圧であるときに、前記第１の行信号ラインをディアサートする過程と、
前記第１のアクティブ行期間から一定時間後に発生する第２のアクティブ行期間において、
前記列信号ラインを前記初期電圧に設定する過程と、
前記画素アレイの前記第１の行信号ラインをアサートする過程と、
前記列信号ラインが前記初期電圧である間に、前記第１の行信号ラインをディアサートする過程と、
を備える、方法。
〔態様８〕
態様７に記載の方法において、前記初期電圧が、前記画素アレイの各画素の透過度に対応している、方法。
〔態様９〕
態様８に記載の方法において、前記透過度が、光を通さないレベルである、方法。
〔態様１０〕
態様７に記載の方法において、前記行信号ラインをディアサートする過程が、保持容量に前記初期電圧を保持させる、方法。
〔態様１１〕
態様７に記載の方法において、前記行信号ラインをアサートする過程と前記行信号ラインをディアサートする過程とが、前記行信号ラインにパルスを生じさせる、方法。
〔態様１２〕
態様７に記載の方法において、前記行信号ラインをアサートする過程が、前記列信号ラインを、前記画素アレイの画素の保持容量に接続させる、方法。
〔態様１３〕
態様７に記載の方法において、さらに、
前記第２のアクティブ行期間において、第２の行信号ラインをアサートする過程、
を備える、方法。
〔態様１４〕
態様１３に記載の方法において、さらに、
前記第１の行信号ラインをディアサートする過程後、所定期間中、前記第２の行信号ラインのアサート状態を維持する過程、
を備える、方法。
〔態様１５〕
画素アレイと、
列駆動サブシステムおよび行駆動サブシステムとを備える、画素マトリクス走査システムであって、
前記列駆動サブシステムおよび前記行駆動サブシステムが、
第１のアクティブ行期間において、
列信号ラインを初期電圧に設定し、
前記画素アレイの第１の行信号ラインをアサートし、
前記列信号ラインを所望の電圧に設定し、
前記列信号ラインが前記所望の電圧であるときに、前記第１の行信号ラインをディアサートし、
前記第１のアクティブ行期間から一定時間後に発生する第２のアクティブ行期間において、
前記列信号ラインを前記初期電圧に設定し、
前記画素アレイの前記第１の行信号ラインをアサートし、
前記列信号ラインが前記初期電圧である間に、前記第１の行信号ラインをディアサートするように構成されている、画素マトリクス走査システム。
〔態様１６〕
態様１５に記載のシステムにおいて、前記初期電圧が、前記画素アレイの各画素の透過度に対応している、システム。
〔態様１７〕
態様１５に記載のシステムにおいて、前記行信号ラインをディアサートすることが、保持容量に前記初期電圧を保持させる、システム。
〔態様１８〕
態様１５に記載のシステムにおいて、前記行信号ラインをアサートすることが、前記列信号ラインを、前記画素アレイの画素の保持容量に接続させる、システム。
〔態様１９〕
態様１５に記載のシステムにおいて、前記列駆動サブシステムおよび前記行駆動サブシステムが、前記第２のアクティブ行期間において、第２の行信号ラインをアサートするように構成されている、システム。
〔態様２０〕
態様１９に記載のシステムにおいて、前記列駆動サブシステムおよび前記行駆動サブシステムが、さらに、前記第１の行信号ラインをディアサートした後、所定期間中、前記第２の行信号ラインのアサート状態を維持するように構成されている、システム。
【手続補正２】
【補正対象書類名】特許請求の範囲
【補正対象項目名】全文
【補正方法】変更
【補正の内容】
【特許請求の範囲】
【請求項１】
画素アレイにおける、画素からなる行を所定の光透過レベルにリセットする方法であって、
前記画素アレイの列信号ラインを初期電圧に設定する過程と、
前記列信号ラインが前記初期電圧である間に、前記画素アレイの行信号ラインをアサートする過程と、
前記列信号ラインが前記初期電圧から変化する前に、前記画素アレイの前記行信号ラインをディアサートする過程と、
を備える、方法。
【請求項２】
請求項１に記載の方法において、前記初期電圧が、前記画素アレイの各画素の透過度に対応している、方法。
【請求項３】
請求項２に記載の方法において、前記透過度が、光を通さないレベルである、方法。
【請求項４】
請求項１に記載の方法において、前記行信号ラインをディアサートする過程が、保持容量に前記初期電圧を保持させる、方法。
【請求項５】
請求項１に記載の方法において、前記行信号ラインをアサートする過程と前記行信号ラインをディアサートする過程とが、前記行信号ラインにパルスを生じさせる、方法。
【請求項６】
請求項１に記載の方法において、前記行信号ラインをアサートする過程が、前記列信号ラインを、前記画素アレイの画素の保持容量に接続させる、方法。
【請求項７】
映像情報を画素アレイに走査する方法であって、
第１のアクティブ行期間において、
列信号ラインを初期電圧に設定する過程と、
前記画素アレイの第１の行信号ラインをアサートする過程と、
前記列信号ラインを所望の電圧に設定する過程と、
前記列信号ラインが前記所望の電圧であるときに、前記第１の行信号ラインをディアサートする過程と、
前記第１のアクティブ行期間から一定時間後に発生する第２のアクティブ行期間において、
前記列信号ラインを前記初期電圧に設定する過程と、
前記画素アレイの前記第１の行信号ラインをアサートする過程と、
前記列信号ラインが前記初期電圧である間に、前記第１の行信号ラインをディアサートする過程と、
を備える、方法。
【請求項８】
請求項７に記載の方法において、前記初期電圧が、前記画素アレイの各画素の透過度に対応している、方法。
【請求項９】
請求項８に記載の方法において、前記透過度が、光を通さないレベルである、方法。
【請求項１０】
請求項７に記載の方法において、前記行信号ラインをディアサートする過程が、保持容量に前記初期電圧を保持させる、方法。
【請求項１１】
請求項７に記載の方法において、前記行信号ラインをアサートする過程と前記行信号ラインをディアサートする過程とが、前記行信号ラインにパルスを生じさせる、方法。
【請求項１２】
請求項７に記載の方法において、前記行信号ラインをアサートする過程が、前記列信号ラインを、前記画素アレイの画素の保持容量に接続させる、方法。
【請求項１３】
請求項７に記載の方法において、さらに、
前記第２のアクティブ行期間において、第２の行信号ラインをアサートする過程、
を備える、方法。
【請求項１４】
請求項１３に記載の方法において、さらに、
前記第１の行信号ラインをディアサートする過程後、所定期間中、前記第２の行信号ラインのアサート状態を維持する過程、
を備える、方法。
【請求項１５】
画素アレイと、
列駆動サブシステムおよび行駆動サブシステムとを備える、画素マトリクス走査システムであって、
前記列駆動サブシステムおよび前記行駆動サブシステムが、
第１のアクティブ行期間において、
列信号ラインを初期電圧に設定し、
前記画素アレイの第１の行信号ラインをアサートし、
前記列信号ラインを所望の電圧に設定し、
前記列信号ラインが前記所望の電圧であるときに、前記第１の行信号ラインをディアサートし、
前記第１のアクティブ行期間から一定時間後に発生する第２のアクティブ行期間において、
前記列信号ラインを前記初期電圧に設定し、
前記画素アレイの前記第１の行信号ラインをアサートし、
前記列信号ラインが前記初期電圧である間に、前記第１の行信号ラインをディアサートするように構成されている、画素マトリクス走査システム。
【請求項１６】
請求項１５に記載のシステムにおいて、前記初期電圧が、前記画素アレイの各画素の透過度に対応している、システム。
【請求項１７】
請求項１５に記載のシステムにおいて、前記行信号ラインをディアサートすることが、保持容量に前記初期電圧を保持させる、システム。
【請求項１８】
請求項１５に記載のシステムにおいて、前記行信号ラインをアサートすることが、前記列信号ラインを、前記画素アレイの画素の保持容量に接続させる、システム。
【請求項１９】
請求項１５に記載のシステムにおいて、前記列駆動サブシステムおよび前記行駆動サブシステムが、前記第２のアクティブ行期間において、第２の行信号ラインをアサートするように構成されている、システム。
【請求項２０】
請求項１９に記載のシステムにおいて、前記列駆動サブシステムおよび前記行駆動サブシステムが、さらに、前記第１の行信号ラインをディアサートした後、所定期間中、前記第２の行信号ラインのアサート状態を維持するように構成されている、システム。